(57)【要約】【課題】上方への移動を規制して集砂受枠に対して外れにくくすることで、取付部材の保持状態を確保することができるうえ、集砂受枠の位置や姿勢を長期的に安定して維持することができる。【解決手段】上部組付け部材２及び下部組付け部材３と、下部組付け部材３の底盤体３０に載置されるとともに底板及びその両側端から立設する側板を有する溝形状の集砂受枠４とを備え、上部組付け部材２及び下部組付け部材３同士の嵌合部Ｔに装着される係合枠材１１と、集砂受枠４の両側板４２の上端部４Ａのそれぞれに係合する受枠保持部１２と、を有し、受枠保持部１２は、集砂受枠４の上端部４Ａの上方に位置する上部係止壁１３と、上端部４Ａの両側方に位置する側部係止壁１４と、を備えることで、集砂受枠４を下部組付け部材３に対して保持する取付部材１０を提供する。【選択図】図２
2014070385.tif 000002
【特許請求の範囲】
【請求項１】
上下に嵌合する上部組付け部材及び下部組付け部材と、該下部組付け部材の底盤体に載置されるとともに底板及びその両側端から立設する側板を有する溝形状の集砂受枠と、を備え、地下において雨水を集めるとともに、外部に流出又は浸透させる雨水貯留浸透槽において、前記集砂受枠を前記下部組付け部材に対して保持するための集砂受枠の取付部材であって、
前記上部組付け部材及び下部組付け部材同士の嵌合部に装着される係合部と、前記集砂受枠の両側板の上端部のそれぞれに係合する受枠保持部と、を有し、
該受枠保持部は、
前記集砂受枠の上端部の上方に位置する上部係止壁と、
前記上端部の少なくともいずれか一方の側方に位置する側部係止壁と、
を備えていることを特徴とする集砂受枠の取付部材。
【請求項２】
前記受枠保持部は、前記集砂受枠の上端部との間に隙間をあけて配置されていることを特徴とする請求項１に記載の集砂受枠の取付部材。
【発明の詳細な説明】
【技術分野】
【０００１】
本発明は、雨水貯留浸透槽における集砂受枠の取付部材に関するものである。
【背景技術】
【０００２】
従来、地下に埋設され、雨水を一時的に貯留し、その後、外部に流出或いは地中に緩やかに浸透させるための雨水貯留浸透槽が知られている。雨水貯留浸透槽は、上下に嵌合する組付け部材と、該組付け部材のうち下部組付け部材内に設けられ、底板及びその両側端から立設する側板を有する溝形状の集砂受枠と、を備え、集砂受枠を取付部材によって下部組付け部材に固定する構成のものがある。
【０００３】
このような取付部材として、例えば下記特許文献１に示されるように、下部組付け部材の底板において集砂受枠の幅方向の両外側に立設された壁状の治具取付部が設けられ、この治具取付部の外側上端に係止する係止部と、該係止部と一体に形成されて、集砂受枠の側板における上端部の内面側に当接する保持部と、を備えた構成のものがある。この場合、取付部材の係止部と保持部との離間を広げた状態で集砂受枠の上端部及び治具取付部に係合することで、その反発力を利用して集砂受枠の上端部を取付治具の保持部と治具取付部の内面との間で挟持して集砂受枠を保持している。
【先行技術文献】
【特許文献】
【０００４】
【特許文献１】特開２００９−１３８３５４号公報
【発明の概要】
【発明が解決しようとする課題】
【０００５】
しかしながら、特許文献１の集砂受枠の取付部材では、係止部と保持部との離間を広げたときの反発力により集砂受枠の上端部を挟持する構成であるので、長期にわたる使用によって前記反発力が低下し、集砂受枠から外れるという問題があった。
【０００６】
また、上記、特許文献１では、取付部材は幅方向には動きにくいが、上方への移動が規制されていないため、下部組付け部材に集砂受枠を取り付ける施工時や、集砂受枠を高圧ジェット等を用いて洗浄する時など集砂受枠に外力が作用し、集砂受枠が浮き上がると、取付部材が集砂受枠と共に上側に移動し、取付部材が集砂受枠から外れてしまい、集砂受枠が所定位置から大きくずれるという問題があった。
【０００７】
本発明は、上述する問題点に鑑みてなされたもので、上方への移動を規制して集砂受枠に対して外れにくくすることで、取付部材の保持状態を確保することができるうえ、集砂受枠の位置や姿勢を長期的に安定して維持することができる集砂受枠の取付部材を提供することを目的とする。
【課題を解決するための手段】
【０００８】
上記目的を達成するため、本発明に係る集砂受枠の取付部材では、上下に嵌合する上部組付け部材及び下部組付け部材と、該下部組付け部材の底盤体に載置されるとともに底板及びその両側端から立設する側板を有する溝形状の集砂受枠と、を備え、地下において雨水を集めるとともに、外部に流出又は浸透させる雨水貯留浸透槽において、前記集砂受枠を前記下部組付け部材に対して保持するための集砂受枠の取付部材であって、前記上部組付け部材及び下部組付け部材同士の嵌合部に装着される係合部と、前記集砂受枠の両側板の上端部のそれぞれに係合する受枠保持部と、を有し、該受枠保持部は、前記集砂受枠の上端部の上方に位置する上部係止壁と、前記上端部の少なくともいずれか一方の側方に位置する側部係止壁と、を備えていることを特徴としている。
【０００９】
本発明に係る取付部材によれば、前記上部組付け部材及び下部組付け部材同士の嵌合部に装着され、取付部材の上方への移動が規制される。そのため、集砂受枠が何らかの外力を受けて浮き上がろうとするときに、集砂受枠の上端部が受枠保持部の上部係止壁に当接しても、取付部材自体が上方へ移動することがないことから、集砂受枠の浮き上がりを規制することができる。また、集砂受枠の上端部の側方に取付部材の側部係止壁が位置するので、集砂受枠が幅方向（横方向）へ移動しようとしても、その移動が側部係止壁によって規制されることになる。
【００１０】
したがって、下部組付け部材に集砂受枠を取り付ける施工時や、集砂受枠を高圧ジェット等を用いて洗浄する時などに、集砂受枠に対して外力が作用しても、集砂受枠と共に取付部材が浮き上がったり、幅方向にずれたりすることがなく、集砂受枠に対して外れにくくなる。そのため、取付部材の保持状態を確保することができる。そのうえ、取付部材が反発力を利用した保持構造ではないので、長期的な使用により反発力が小さくなるのに伴って保持力が低下するといった不具合も生じないことから、集砂受枠の位置や姿勢を長期的に安定して維持することができる。
【００１１】
さらに、本発明の取付部材は、雨水貯留浸透槽を構成する上部組付け部材と下部組付け部材との嵌合部に対して直接、装着することができ、従来のように取付部材と組付け部材との間に、取付部材を取り付けるための別部材を設ける必要がなく、部材費の増大を抑えることができる。
【００１２】
また、本発明に係る集砂受枠の取付部材では、前記受枠保持部は、前記集砂受枠の上端部との間に隙間をあけて配置されていることが好ましい。
【００１３】
この場合、受枠保持部が集砂受枠の上端部を保持する機能を確保しつつも、受枠保持部と集砂受枠の上端部との間に所定の隙間が介在することから、この隙間で各部位の施工誤差や、上部組付け部材及び下部組付け部材の弾性変形に対応することが可能となり、施工性を向上させることができる。
【発明の効果】
【００１４】
本発明の集砂受枠の取付部材によれば、上方への移動を規制して集砂受枠に対して外れにくくすることで、取付部材の保持状態を確保することができるうえ、集砂受枠の位置や姿勢を長期的に安定して維持することができる。
【図面の簡単な説明】
【００１５】
【図１】本発明の実施の形態による雨水貯留浸透槽の構成を示す斜視図である。
【図２】図１に示すＡ−Ａ線矢視図であって、雨水貯留浸透槽の正面図である。
【図３】図２に示す取付部材の構成を示す正面図である。
【図４】図１に示す取付部材の斜視図である。
【発明を実施するための形態】
【００１６】
以下、本発明の実施の形態による集砂受枠の取付部材について、図面に基づいて説明する。
【００１７】
図１の符号１は、地下において雨水を集めるとともに、外部に流出又は浸透させる雨水貯留浸透槽を示している。雨水貯留浸透槽１は、上下に嵌合する上部組付け部材２及び下部組付け部材３と、下部組付け部材３の底盤体３０に載置された溝形状の集砂受枠４と、を備えている。そして、本実施の形態による集砂受枠４の取付部材１０は、雨水貯留浸透槽１において、集砂受枠４を下部組付け部材３に対して保持するためのものである。
【００１８】
図１に示すように、上部組付け部材２及び下部組付け部材３は、例えば射出成形によって形成されるポリプロピレンなどの合成樹脂からなり、所望の一方向に沿って並べて設けられ、さらに縦方向Ｙにも重ねて組み合わせられることで、これら複数組の組付け部材２、３のそれぞれの内部に雨水を貯留する貯留空間Ｒを有している。このときの一方向の配列方向を、以下、「長さ方向Ｘ」という。組付け部材２、３は、嵌合により縦方向Ｙ（上下方向）に連結可能であり、長さ方向Ｘには連結させずに配置されている。なお、長さ方向Ｘに隣接する組付け部材２、３同士の適宜な連結手段により連結させることも可能である。そして、集砂受枠４は、その受枠軸Ｏを長さ方向Ｘに沿う方向に向けて配設されている。
ここで、以下の説明では、平面視で長さ方向Ｘに直交する方向であって、受枠軸Ｏに対して水平方向に直交する方向を幅方向Ｗとする。
【００１９】
上部組付け部材２は、平面視で矩形状（ここでは正方形状）の傾斜板２１を備え、その四隅の角部において上下両方に突出する嵌合継手２２が形成されている。傾斜板２１の４辺をなす外周縁部のうち３箇所には周壁部２３が形成され、周壁部２３が形成されていない１辺部分に開口部２４を形成している。上部組付け部材２は、開口部２４側が長さ方向Ｘの下流側となる位置に配置されている。つまり、傾斜板２１は、長さ方向Ｘで流通する雨水の上流側から下流側に向けて漸次、下向きとなる傾斜面が形成され、前記開口部２４側に雨水が流れる。
【００２０】
傾斜板２１は、図示しない細孔が複数設けられており、傾斜板２１上を流通する雨水の一部が前記細孔を通過して下部組付け部材３側へ流下するようになっている。また、傾斜板２１上に流れる雨水の多くは開口部２４より長さ方向Ｘの下流側に隣接される別の組付け部材へ向けて流出される。
【００２１】
また、傾斜板２１には、図１および図２に示すように、開口部２４が配される下流側の外周縁部のみから垂設されるとともに、幅方向Ｗに沿って延在する周壁リブ２５が設けられている。さらに、傾斜板２１の下面には、中央リブ２６（図１参照）が縦横方向（長さ方向Ｘ及び幅方向Ｗ）に沿って設けられている。
【００２２】
嵌合継手２２は、図１に示すように、三角柱状で傾斜板２１の上方及び下方に向けて突出しており、その上側部分が雌型嵌合継手をなし、下側部分が雄型嵌合継手をなしている。本実施の形態では、前記雄型嵌合継手が下部組付け部材３の後述する雌型の嵌合継手３４に嵌合する嵌合部Ｔを構成している。
【００２３】
下部組付け部材３の底盤体３０は、上部組付け部材２と同形状の平面視で矩形状（ここでは正方形状）の底盤を備え、底盤の外周縁部から全周にわたって周壁リブが立設され、平面視で周壁リブの内側に中央リブが縦横方向（長さ方向Ｘ及び幅方向Ｗ）、及び対角線方向等に沿って設けられている。底盤体３０の四隅の角部において、三角柱状で上方に突出する嵌合継手３４が形成されている。嵌合継手３４は、上端に凹部が形成された雌型の継手部であり、上部組付け部材２の嵌合継手２２と嵌合する。なお、嵌合継手３４は、底盤体３０に対して一体でも別体でもよい。
【００２４】
下部組付け部材３の底盤体３０の幅方向Ｗの中央には、集砂受枠４が長さ方向Ｘに沿って載置されている。集砂受枠４は、長さ方向Ｘの一端側と他端側のそれぞれにおいて、幅方向Ｗで一対の嵌合継手３４、３４同士の間に配置され、底盤体３０に対して非固定状態で設けられている。
【００２５】
集砂受枠４は、底板４１及びその両側端から立設する側板４２、４２を有し、上端から幅方向Ｗの外側に向けて延ばされた上縁カール部４３が設けられている。この集砂受枠４は、嵌合継手３４の上端よりも低い位置となる高さ寸法となっている。ここで、本実施の形態では、前記上縁カール部４３を含む部分を上端部４Ａとして説明する。
この集砂受枠４は、組み付けられた上部組付け部材２と下部組付け部材３との間に形成される貯留空間Ｒに配置され、雨水とともに流入した土砂を集積するものであり、長さ方向Ｘに配列された複数の下部組付け部材３の全体にわたって長さ方向Ｘに連続するように配置される。
【００２６】
取付部材１０は、上部組付け部材２及び下部組付け部材３同士の嵌合部Ｔに装着される係合枠材１１（係合部）と、集砂受枠４の両側板４２の上端部４Ａのそれぞれに係合する受枠保持部１２と、を有している。さらに具体的に取付部材１０は、長さ方向Ｘで下流側に設けられる一対の嵌合部Ｔ、Ｔのそれぞれに装着される係合枠材１１、１１同士を一体的に連結する連結プレート１６が設けられ、この連結プレート１６の下面１６ａにおける幅方向Ｗの両側それぞれに受枠保持部１２が設けられている。
【００２７】
係合枠材１１は、断面視で三角形状の嵌合部Ｔの外周縁部の周方向全周に沿って三角形状に枠組みされており、嵌合部Ｔの外周縁部の位置において上部組付け部材２の嵌合継手２２と下部組付け部材３の雌型の嵌合継手３４と、によって挟持されることにより、当該嵌合部Ｔに装着されている。
【００２８】
図２〜図４に示すように、連結プレート１６の下面１６ａに設けられる一対の受枠保持部１２は、それぞれ集砂受枠４の上端部４Ａの上方に位置する上部係止壁１３と、前記上端部４Ａの両側に位置する側部係止壁１４（幅方向Ｗで外側に位置する方を外壁部１４Ａとし、幅方向Ｗで内側に位置する方を内壁部１４Ｂとする）と、を備えている。そして、側部係止壁１４の下端は、集砂受枠４の上端部４Ａの上面４ａよりも下方に位置している。つまり、受枠保持部１２は、上部係止壁１３と、集砂受枠４の一方の上端部４Ａの両側から挟持する外壁部１４Ａ及び内壁部１４Ｂと、によって凹形状をなしている。そして、受枠保持部１２は、集砂受枠４の上端部４Ａとの間に隙間をあけて配置されている。
【００２９】
内壁部１４Ｂは、集砂受枠４に対向する面には、下方に向かうに従って漸次、集砂受枠４の上端部４Ａから幅方向Ｗに離れる方向に傾斜するテーパー面１４ａ（図３、図４参照）が形成されている。
外壁部１４Ａは、内壁部１４Ｂよりも下方に延びる長さが長く、鉛直方向に延びている。
つまり、この状態において、集砂受枠４は、浮き上がりと幅方向Ｗへの移動とが受枠保持部１２によって規制され、下部組付け部材３の所望の位置に保持されている。
【００３０】
以上説明した集砂受枠の取付部材によれば、以下の作用効果を奏する。
すなわち、図１および図２に示すように、本実施の形態の取付部材１０では、上部組付け部材２及び下部組付け部材３同士の嵌合部Ｔに装着され、取付部材１０の上方への移動が規制される。そのため、集砂受枠４が何らかの外力を受けて浮き上がろうとするときに、集砂受枠４の上端部４Ａが受枠保持部１２の上部係止壁１３に当接しても、取付部材１０自体が上方へ移動することがないことから、集砂受枠４の浮き上がりを規制することができる。
また、集砂受枠４の上端部４Ａの側方に取付部材１０の側部係止壁１４（外壁部１４Ａおよび内壁部１４Ｂ）が位置するので、集砂受枠４が幅方向Ｗ（横方向）へ移動しようとしても、その移動が側部係止壁１４Ａ、１４Ｂによって規制されることになる。
【００３１】
したがって、下部組付け部材３に集砂受枠４を取り付ける施工時や、集砂受枠４を高圧ジェット等を用いて洗浄する時などに、集砂受枠４に対して外力が作用しても、集砂受枠４と共に取付部材１０が浮き上がったり、幅方向Ｗにずれたりすることがなく、集砂受枠４に対して外れにくくなる。そのため、取付部材１０の保持状態を確保することができる。そのうえ、取付部材１０が反発力を利用した保持構造ではないので、長期的な使用により反発力が小さくなるのに伴って保持力が低下するといった不具合も生じないことから、集砂受枠４の位置や姿勢を長期的に安定して維持することができる。
【００３２】
さらに、雨水貯留浸透槽１を構成する上部組付け部材２と下部組付け部材３との嵌合部Ｔに対して直接、装着することができ、従来のように取付部材と組付け部材との間に、取付部材を取り付けるための別部材を設ける必要がなく、部材費の増大を抑えることができる。
【００３３】
また、受枠保持部１２が集砂受枠４の上端部４Ａとの間に隙間Ｓをあけて配置されているので、受枠保持部１２が集砂受枠４の上端部４Ａを保持する機能を確保しつつも、受枠保持部１２と集砂受枠４の上端部４Ａとの間に所定の隙間Ｓが介在することから、この隙間で各部位の施工誤差や、上部組付け部材２及び下部組付け部材３の弾性変形に対応することが可能となり、施工性を向上させることができる。
【００３４】
さらに、本実施の形態の取付部材１０は、集砂受枠４の上端部４Ａが上部係止壁１３と一対の側部係止壁１４（外壁部１４Ａ及び内壁部１４Ｂ）とからなる凹形状部分によって跨るようにして囲まれているので、集砂受枠４の浮き上がり、および幅方向Ｗへの移動を確実に規制することができる。
【００３５】
さらにまた、取付部材１０の内壁部１４Ｂに図３および図４に示すテーパー面１４ａが形成されており、集砂受枠４の上端部４Ａの幅方向Ｗの両側に位置する外壁部１４Ａおよび内壁部１４Ｂ同士の間隔の開口側（下側）が広がっているので、施工時において集砂受枠４の上端部４Ａに対して受枠保持部１２で保持させる際の施工がし易くなり、施工性を向上させることができる。
【００３６】
上述のように本実施の形態による取付部材１０では、上方への移動を規制して集砂受枠４に対して外れにくくすることで、取付部材１０の保持状態を確保することができるうえ、集砂受枠４の位置や姿勢を長期的に安定して維持することができる。
【００３７】
以上、本発明による集砂受枠の取付部材の実施の形態について説明したが、本発明は上記の実施の形態に限定されるものではなく、その趣旨を逸脱しない範囲で適宜変更可能である。
【００３８】
例えば、上述の本実施の形態では受枠保持部１２が集砂受枠４の上端部４Ａとの間に隙間をあけて配置されているが、隙間をあけることに制限されることはなく、内壁部１４Ｂと外壁部１４Ａとの離間は、集砂受枠４の上端部４Ａの幅寸法と一致し、接触する間隔であってもよいし、上部係止壁１３が集砂受枠４の上面４ａに上方から当接する位置とすることも可能である。
【００３９】
また、取付部材１０の連結プレート１６を省略することも可能であり、この場合、各嵌合部Ｔに対して装着される係合枠材１１と、この係合枠材１１に連結される受枠保持部１２とからなる取付部材が、集砂受枠４の一方側の側板４２の上端部４Ａを保持することになる。
【００４０】
また、本実施の形態では取付部材１０の係合枠材１１が嵌合部Ｔの外周縁部の全周に沿って延在する三角形状に形成しているが、このような形状に限定されることはない。例えば、断面視で三角形状の嵌合部Ｔの外周縁部のうち、二辺のみに当接するように二股に分岐された形状としてもよい。
【００４１】
さらに、本実施の形態では、上部組付け部材２および下部組付け部材３がポリプロピレンなどの合成樹脂製の部材のものを採用しているが、このような部材に限定されることはなく、例えばコンクリートや金属製の部材を用いることも可能である。そして、上部組付け部材２や下部組付け部材３の形状、大きさ、リブや周壁部の構成は、限定されるものではなく適宜変更可能である。例えば、上部組付け部材２として傾斜板２１を備えたものでなくても構わない。
【００４２】
また、本実施の形態では受枠保持部１２の側部係止壁１４として集砂受枠４の上端部４Ａを挟持するように外壁部１４Ａと内壁部１４Ｂを設けた構成としているが、外壁部１４Ａと内壁部１４Ｂのうちいずれか一方のみでもよい。要は、取付部材に設けられる一対の受枠保持部１２のそれぞれが内壁部１４Ｂのみを設けるか、又は外壁部１４Ａのみを設けるようにしてもよい。
さらに、本実施の形態では内壁部１４Ｂにテーパー面１４ａを形成しているが、外壁部１４Ａにテーパー面を形成してもよいし、内壁部１４Ｂと外壁部１４Ａの両方に形成してもよい。また、テーパー面を省略することも可能である。
【００４３】
その他、本発明の趣旨を逸脱しない範囲で、上記した実施の形態における構成要素を周知の構成要素に置き換えることは適宜可能である。
【符号の説明】
【００４４】
１  雨水貯留浸透槽
２  上部組付け部材
３  下部組付け部材
４  集砂受枠
４Ａ  上端部
４ａ  上面
１０  取付部材
１１  係合枠材（係合部）
１２  受枠保持部
１３  上部係止壁
１４  側部係止壁
１４Ａ  外壁部
１４Ｂ  内壁部
１４ａ  テーパー面
１６  連結プレート
２２  嵌合継手
３０  底盤体
３４  嵌合継手
４１  底板
４２  側板
Ｔ  嵌合部
Ｗ  幅方向
Ｘ  長さ方向
Ｙ  縦方向
【図１】
2014070385.tif 000003
【図２】
2014070385.tif 000004
【図３】
2014070385.tif 000005
【図４】
2014070385.tif 000006